(57)【要約】【課題】  車体パネルの室内面に防音材を取り付けてなる車両の防音構造であって、防音材の軽量化を図ることにより、燃費効率、取付作業性を高めるとともに、防音特性を向上させる。【解決手段】  ダッシュパネル１０の室内面側に取り付けられるインシュレータダッシュ（防音材）２０は、緻密多孔質吸音体２１の単一層から構成し、ダッシュパネル１０との間に空気層３０を介して取り付けることで、軽量化を図り、かつダッシュパネル１０を透過する騒音に対して遮音機能を高め、かつ車室Ｒ内側からの反射騒音に対して再度緻密多孔質吸音体２１内部に騒音を取り込むことで、防音性能を高める。【選択図】  図１
2005112088.tif 000002
【特許請求の範囲】
【請求項１】
車体パネル（１０）の室内面側に防音材（２０）を取り付けてなる車両の防音構造において、前記防音材（２０）は、車体パネル（１０）の室内面形状に合わせて成形された緻密多孔質吸音体（２１）の単一層から構成され、車体パネル（１０）との間で所定クリアランスの空気層（３０）を介して車体パネル（１０）の室内面に取り付けられるとともに、前記緻密多孔質吸音体（２１）の密度及び厚み、並びに空気層（３０）の厚みを車体パネル（１０）から室内側に伝播する騒音の周波数レベルに応じて調整したことを特徴とする車両の防音構造。
【請求項２】
前記緻密多孔質吸音体（２１）は、車体パネル（１０）からの振動の伝播を防ぐために、緻密多孔質吸音体（２１）の所要箇所にのみ、車体パネル（１０）側に向く凸部（２２）が形成され、この凸部（２２）の先端面が車体パネル（１０）に当接支持されることにより、空気層（３０）の厚みが確保されることを特徴とする請求項１に記載の車両の防音構造。
【請求項３】
前記防音材（２０）は、緻密多孔質吸音体（２１）の裏面又は表面の全面、あるいはその一部に車体パネル（１０）からの透過騒音の周波数レベルに応じた少なくとも一つの補助減衰層（４０，２４）が積層一体化されていることを特徴とする請求項１又は２に記載の車両の防音構造。
【発明の詳細な説明】
【技術分野】
【０００１】
この発明は、車体パネルの室内面側に防音材を取り付けてなる車両の防音構造に係り、特に、重量の嵩む遮音層を廃止して、防音材の軽量化を図るとともに、広範囲な周波数域の騒音に対して、優れた防音特性を発揮できる車両の防音構造に関する。
【背景技術】
【０００２】
通常、車室内の静粛性を高めるために、車両の防音構造として、車体パネルの室内面側に各種防音材が取り付けられている。この防音材の一例として、インシュレータダッシュの従来例について、以下説明する。図１２に示すように、エンジンルームＥと車室Ｒとを区画するダッシュパネル１の室内面側には、インシュレータダッシュ２が添装されており、このインシュレータダッシュ２は、図１３に拡大して示すように、再生ゴムシート、再生塩ビシート等、高密度材料からなる遮音層３と、その裏面側に積層一体化される繊維集合体からなる吸音層４とから構成されており、インシュレータダッシュ２の下側表面には、フロアカーペット５がラップ状に敷設され、また、インシュレータダッシュ２の上部側はインストルメントパネル６内に位置している（例えば、特許文献１参照。）。
【０００３】
ところで、従来の二層構造のインシュレータダッシュ２の防音メカニズムを図１４を基に説明すると、エンジンルームＥ内でのエンジン類や補器類の騒音ｆ１は、ダッシュパネル１で一部が遮音され、残る騒音は、ダッシュパネル１を透過して室内側に伝播し、ｆ２で示す騒音がインシュレータダッシュ２内に侵入する。そして、この騒音ｆ２は、その一部が吸音層４で吸音されるとともに、遮音層３で遮音されるが、一部は透過騒音ｆ３としてインストルメントパネル６内に侵入する。
【０００４】
更に、インストルメントパネル６内に侵入する透過騒音ｆ３は、インストルメントパネル６の内面で反射して、この反射騒音ｆ４が遮音層３で再度反射され、結果的に反射騒音ｆ４，ｆ５がインストルメントパネル６の空間内で反響音となり、この反響音が車室内の静粛性を阻害する大きな要因となっている。
【０００５】
そして、この従来の防音（遮音・吸音）メカニズムにおいては、インシュレータダッシュ２における遮音・吸音割合と、インストルメントパネル６内での吸音割合は比率的に約９：１の割合である。
【０００６】
【特許文献１】実開平７−５９６６号公報（第２頁、図１乃至図４）
【発明の開示】
【発明が解決しようとする課題】
【０００７】
このように、従来のインシュレータダッシュ２は、高密度材料を素材とした遮音層３と、繊維集合体からなる吸音層４との二層積層体から構成されており、特に、遮音層３の重量が嵩むため、製品の軽量化に逆行し、燃費効率の低下やインシュレータダッシュ２の取付作業性を悪化させるという問題点が指摘されている。
【０００８】
更に、従来のインシュレータダッシュ２の防音メカニズムにおいては、インシュレータダッシュ２の主に二重壁遮音機能による遮音・吸音機能に対してインストルメントパネル６内での吸音機能が非常に小さいため、インストルメントパネル６内での減衰されなかった透過音の解消が防音上急務とされていた。
【０００９】
この発明は、このような事情に鑑みてなされたもので、車体パネルの室内面側に防音材を取り付けてなる車両の防音構造であって、重量が嵩む遮音層を廃止して防音材の軽量化を促進させるとともに、低周波数域から高周波数域の広範囲な周波数域の騒音に対して有効に防音できる車両の防音構造を提供することを目的とする。
【課題を解決するための手段】
【００１０】
上記目的を達成するために、本発明は、車体パネルの室内面側に防音材を取り付けてなる車両の防音構造において、前記防音材は、車体パネルの室内面形状に合わせて成形された緻密多孔質吸音体の単一層から構成され、車体パネルとの間で所定クリアランスの空気層を介して車体パネルの室内面に取り付けられるとともに、前記緻密多孔質吸音体の密度及び厚み、並びに空気層の厚みを車体パネルから室内側に伝播する騒音の周波数レベルに応じて調整したことを特徴とする。
【００１１】
ここで、緻密多孔質吸音体に使用する素材は、フエルト、ＰＥＴ（ポリエステル）繊維等の合成繊維、紙類（パルプ等）を繊維状にした繊維集合体からなり、通常は、繊維集合体をマット状に集積した原反マットを加熱軟化処理後、所要形状の型面を有するコールドプレス成形金型によりプレス成形して成形される。
【００１２】
また、この緻密多孔質吸音体の物性としては、密度０．０１〜０．６ｇ／ｃｍ３、厚み３〜２０ｍｍ、好ましくは、５〜１０ｍｍ、通気量０．１〜５０ｃｍ３／ｃｍ２・ｓｅｃ、好ましくは、１〜２０ｃｍ３／ｃｍ２・ｓｅｃの範囲が良い。尚、通気量の数値は、フラジール型通気量測定器による。
【００１３】
この緻密多孔質吸音体に使用する素材としては、上記繊維質成形体の他に、発泡樹脂成形体、発泡性ゴム等を使用することもできる。更に、車体パネルと緻密多孔質吸音体との間に設定される空気層は、緻密多孔質吸音体の占有面積に対して５〜１００％、好ましくは５０〜９５％の範囲に設定できる。
【００１４】
そして、本願発明によれば、車体パネルに取り付けられる防音材としては、緻密多孔質吸音体の単一層であるため、従来の重量の嵩む遮音層を廃止することができ、大幅な軽量化が可能となる。
【００１５】
更に、非通気性の遮音層を廃止したため、車体パネルから室内側に伝播する騒音は、緻密多孔質吸音体を通して車室内に透過し、その後、室内パネルの内面で反射する反射騒音は、再度緻密多孔質吸音体表面側から吸音されることになり、室内の音圧上昇を抑えることができる。
【００１６】
また、本願発明によれば、車体パネルを透過する騒音が比較的低周波数レベルの場合には、空気層の厚みを厚く、かつ緻密多孔質吸音体の密度を高密度に、すなわち、厚みを薄く設定すれば有効である。逆に、車体パネルを透過する騒音が中・高周波数レベルの場合には、緻密多孔質吸音体の密度を低密度に、すなわち、厚みを厚く設定するのが有効である。
【００１７】
従って、車体パネルを透過する騒音の周波数レベルに応じて、緻密多孔質吸音体の密度、厚み、及び空気層の厚みを調整することで、騒音の周波数レベルに応じた木目細かな防音処理が可能となる。
【００１８】
次いで、本発明の好ましい実施の態様は、前記緻密多孔質吸音体は、車体パネルからの振動の伝播を防ぐために、緻密多孔質吸音体の所要箇所にのみ、車体パネル側に向く凸部が形成され、この凸部の先端面が車体パネルに当接支持されることにより、空気層の厚みが確保されることを特徴とする。
【００１９】
ここで、緻密多孔質吸音体に形成される凸部は、車体パネルとの当接面をフラット面とした椀状等に形成され、当接ポイントは、車体パネルに対する固定点の他に、剛性が要求される部位等、最低限の箇所に設定されている。
【００２０】
従って、この実施の態様によれば、車体パネルへの取り付け、及び剛性が必要とされる部位に限り、緻密多孔質吸音体が車体パネルと当接しており、その他の部位においては、空気層があることから、車体パネルと接触していないため、車体パネルから緻密多孔質吸音体への振動の伝播を極力抑えることができる。
【００２１】
次に、本発明の好ましい実施の態様は、前記防音材は、緻密多孔質吸音体の裏面又は表面の全面、あるいは一部に車体パネルからの透過騒音の周波数レベルに応じた少なくとも一つの補助減衰層が積層一体化されていることを特徴とする。
【００２２】
ここで、シート状の補助減衰層は、緻密多孔質吸音体の裏面の全面、あるいはその一部に積層一体化される。この補助減衰層としては、制御対象となる騒音の周波数レベルに対応して、例えば、低・中周波数域の騒音に対しては、比較的重量の嵩むシート材料、例えば、ＰＶＣ、ポリエチレン等の樹脂シート等が使用でき、面密度は５００〜９０００ｇ／ｍ２程度のものが良い。
【００２３】
また、中・高周波数域の騒音に対しては、膜吸音特性を備えたシート材料、例えば、発泡シート、樹脂フィルム、ウレタンシート等、面密度が３０〜５００ｇ／ｍ２のものを使用する。更に、低通気性を備えたシート材料、例えば、不織布、スパンボンド、ウレタンシート等、面密度が３０〜３００ｇ／ｍ２、かつ通気量が５〜３０ｃｍ３／ｃｍ２ｓｅｃのものを使用することもできる。
【００２４】
更に、緻密多孔質吸音体と補助減衰層との一体化については、補助減衰層が通気性を備えていれば、緻密多孔質吸音体の原反マットと補助減衰層とを重ね合わせて熱風加熱処理を施し、一体にプレス加工すれば良い。また、補助減衰層が非通気性素材であれば、個々に加熱処理を施し、成形金型内で緻密多孔質吸音体と補助減衰層とをプレス一体化すれば良い。
【００２５】
従って、この実施の態様によれば、種々の騒音の周波数レベルに対して必要に応じた少なくとも一つの補助減衰層を緻密多孔質吸音体の裏面又は表面の全面、あるいは裏面又は表面の一部に一体化させることで、防音性能を補完することができる。
【発明の効果】
【００２６】
以上説明した通り、本発明に係る車両の防音構造は、車体パネルの面形状にほぼ合致する形状に成形された緻密多孔質吸音体の単一層で防音材を構成し、車体パネルとの間に空気層を介して取り付けるという構成であるから、製品重量を低減化することで、燃費効率を高め、かつ車体パネルへの取付作業性を高めることができるという効果を有する。
【００２７】
更に、本発明に係る車両の防音構造は、車体パネルと緻密多孔質吸音体との間に空気層が介在しているため、重量化を招くことなく、二重壁遮音効果による良好な遮音特性を発揮することができるとともに、室内側から反射する反射騒音に対しても、緻密多孔質吸音体から再度内部に吸音することができ、吸音特性に優れるという効果を有する。
【００２８】
また、本発明に係る車両の防音構造によれば、空気層の厚みや、緻密多孔質吸音体の厚み及び密度を調整することで、低周波数域から高周波数域の広範囲な周波数域の騒音に有効に対応できるとともに、この緻密多孔質吸音体の裏面の全面、あるいは一部に少なくとも一つの補助減衰層を一体化するか、緻密多孔質吸音体の表面の一部に少なくとも一つの補助減衰層を一体化するという構成を付加すれば、車体パネルを透過する騒音の音特性に見合ったより木目細かな防音対策を施すことができる。
【００２９】
また、本発明に係る車両の防音構造において、緻密多孔質吸音体を車体パネルとの間に最低限度の当接ポイントで支持するという構成を採用すれば、車体パネルから緻密多孔質吸音体への振動の伝播を極力抑えることができるため、防音性能を更に良好に維持できるという効果を有する。
【発明を実施するための最良の形態】
【００３０】
以下、本発明に係る車両の防音構造について、ダッシュパネルの室内面側に装着されるインシュレータダッシュに適用した実施例について説明する。
【実施例１】
【００３１】
図１乃至図６は本発明の第１実施例を示すもので、図１はダッシュパネルに取り付けたインシュレータダッシュの構成を示す断面図、図２は同インシュレータダッシュの正面図、図３は同インシュレータダッシュのダッシュパネルへの取付部の構成を示す拡大断面図、図４乃至図６は同インシュレータダッシュの変形例を示す各断面図である。
【００３２】
図１において、エンジンルームＥと車室Ｒとを区画するダッシュパネル１０は、上部側からダッシュアッパー部１０ａ、ダッシュロア部１０ｂ、トウボード部１０ｃに区画され、ダッシュパネル１０の室内面に沿ってインシュレータダッシュ２０が空気層３０を介して取り付けられている。また、トウボード部１０ｃ上に装着されるインシュレータダッシュ２０の表面側には、フロアカーペット１１がラップ状に敷設され、更に、ダッシュパネル１０のダッシュアッパー部１０ａ及びダッシュロア部１０ｂの上半部分に装着されるインシュレータダッシュ２０の上半部分は、インストルメントパネル１２内に位置している。尚、インストルメントパネル１２には、図示しないクラッシュパッドが装着されている。
【００３３】
ところで、本発明に係るインシュレータダッシュ２０は、燃費効率及び取付作業性を高めるために、製品重量を大幅に軽量化するとともに、軽量化しても充分な防音特性を備えるように構成されている。
【００３４】
すなわち、インシュレータダッシュ２０は、繊維集合体、あるいは発泡成形体等からなる緻密多孔質吸音体２１の単一層構成とした。この緻密多孔質吸音体２１は、その材質として、フエルト、ＰＥＴ（ポリエステル）繊維等の合成繊維、紙類（パルプ等）等を繊維状にした繊維集合体、あるいはＥＰＤＭや発泡樹脂成形体、発泡性ゴム等の多孔質吸音体から構成される。
【００３５】
そして、ダッシュパネル１０の室内面形状に沿って所要形状に成形される緻密多孔質吸音体２１は、密度が０．０１〜０．６ｇ／ｃｍ３で、厚みが３〜２０ｍｍ、好ましくは、５〜１０ｍｍで、かつ通気量０．１〜５０ｃｍ３／ｃｍ２・ｓｅｃ、好ましくは１〜２０ｃｍ３／ｃｍ２・ｓｅｃに調整されており、従来、通常使用されていた多孔質吸音材に比べ、高密度、高剛性に設定されている。
【００３６】
また、ダッシュパネル１０と緻密多孔質吸音体２１との間に設定される空気層３０は、その厚みが０．２〜１００ｍｍの間に調整され、ダッシュパネル１０を透過する騒音レベルの特性、例えば、ダッシュロア部１０ｂからは比較的低周波数域の騒音が集中して透過する傾向等を考慮して、ダッシュロア部１０ｂに相当する空気層３０の厚みはその他のダッシュアッパー部１０ａ、トウボード部１０ｃの空気層３０に比べ厚く設定されている。
【００３７】
同様に、緻密多孔質吸音体２１の密度及び厚みについても、低・中周波数域の騒音を対象とするものについては、密度を大きく、厚みを薄く設定し、逆に中・高周波数域の騒音を対象とするものについては、密度を小さく、かつ厚みを厚く設定するようにする。
【００３８】
従って、ダッシュパネル１０を透過するエンジンルームＥからの騒音（図１中符号Ａで示す）に対して、ダッシュパネル１０と緻密多孔質吸音体２１との間の空気層３０による二重壁遮音機能に加え、インストルメントパネル１２からの反射音（図１中符号Ｂで示す）についても緻密多孔質吸音体２１の表面側から再度吸音処理することで、インストルメントパネル１２内の音圧上昇を抑え、吸音性能を向上させることにより、従来の重量の嵩む遮音層を廃止しても、室内側への伝播を充分に防止することができる。
【００３９】
加えて、インシュレータダッシュ２０は、緻密多孔質吸音体２１の単一層構成であるため、従来の重量の嵩む遮音層を使用した二層構成のものに比べ、大幅な軽量化を図ることができ、燃費効率の向上及びダッシュパネル１０への取付作業性の向上も期待できる。
【００４０】
次に、このインシュレータダッシュ２０をダッシュパネル１０に取り付ける構造について、図２，図３を基に説明すると、緻密多孔質吸音体２１は、例えば、フエルト等の繊維材料を使用する場合、ベース繊維中にバインダとしての熱可塑性樹脂繊維を混入し、マット状に集積したマット原反を加熱軟化処理後、所要形状の型面をもつコールドプレス成形金型内に投入し、コールドプレス成形金型の型締めにより、ダッシュパネル１０の室内面形状に則して成形される。そして、その際、ダッシュパネル１０に対する取付部分、及び剛性強化部分については、ダッシュパネル１０側に突出する当接部分がフラット面となる椀状の凸部２２がスポット的に形成され、この凸部２２に設けた取付孔２３内にダッシュパネル１０から植設されたスタッドボルト１３を挿入し、スタッドボルト１３の先端にクリップ１４を嵌着することで、図３に示すように、ダッシュパネル１０に対してインシュレータダッシュ２０が取り付けられる。
【００４１】
このように、緻密多孔質吸音体２１に凸部２２を形成することで、空気層３０の厚み寸法を確保するとともに、特に、この凸部２２は、最小限の箇所にのみ設定されているため、従来、インシュレータダッシュの全面に亘りダッシュパネルに接触していた構成に比べ、空気層３０は緻密多孔質吸音体２１の占有面積を５〜１００％、好ましくは５０〜９５％の範囲で設定することで、ダッシュパネル１０から振動が緻密多孔質吸音体２１に加わることを最小限に抑え、振動の伝播による車室内の音圧上昇を防止することができる。
【００４２】
このように、第１実施例における車両の防音構造は、インシュレータダッシュ２０として緻密多孔質吸音体２１の単一層から構成し、ダッシュパネル１０に対して空気層３０を介して取り付けるという構成を採用することで、大幅な軽量化を達成できるとともに、低周波数域から高周波数域にかけて広範囲な周波数レベルの騒音に対して有効な防音処理を施すことができるという効果がある。
【００４３】
次いで、図４乃至図６は第１実施例の各変形例を示すもので、緻密多孔質吸音体２１の厚み、密度、空気層３０の厚みを調整することで、防音性能の向上を図ることについて、図４，図５に示す。
【００４４】
すなわち、図４に示すように、ダッシュパネル１０のトウボード部１０ｃから伝播する騒音は、ダッシュロア部１０ｂに比べ低周波数域の騒音が少なく、かつフロアカーペット１１の遮音性能も期待できる場合、トウボード部１０ｃに対応する緻密多孔質吸音体２１については、空気層３０を省略し、かつ緻密多孔質吸音体２１の密度を最大限小さく（例えば、０．０１〜０．２ｇ／ｃｍ３）、かつ厚みについても厚く設定されている。
【００４５】
従って、このことにより、ダッシュパネル１０におけるトウボード部１０ｃを透過する騒音（中・高周波数域の騒音）に対してエネルギーの減衰効果が大きく、防音性能を高めることができる。
【００４６】
また、図１と図４との中間に位置する変形例として図５がある。すなわち、ダッシュパネル１０のトウボード部１０ｃと緻密多孔質吸音体２１との間の空気層３０の厚みを小さく設定し、かつその部位の緻密多孔質吸音体２１の厚み及び密度については、図１及び図４に示す緻密多孔質吸音体２１の各数値の中間値に設定されている。
【００４７】
従って、図５に示すものでは、ダッシュパネル１０のトウボード部１０ｃにおける緻密多孔質吸音体２１の機能としては、遮音機能と吸音機能の両者を併せもつことができる。
【００４８】
このように、緻密多孔質吸音体２１の部位毎に、密度、厚みを調整し、かつ空気層３０の厚みについても部位毎に変更することで、ダッシュパネル１０の各部を透過する騒音の周波数レベルに応じて、木目細かな防音処理を施すことができる。
【００４９】
図６は更に変形例を示すもので、インシュレータダッシュ２０は、緻密多孔質吸音体２１と、トウボード部１０ｃにおける緻密多孔質吸音体２１の表面に積層一体化される補助減衰層２４とから構成されている。
【００５０】
この補助減衰層２４は、ダッシュパネル１０を透過する騒音の特性により、種々の補助減衰層２４を使用することができる。すなわち、低・中周波数域の騒音に対しては、比較的重量の嵩むシート材料、例えば、ＰＶＣシート、ゴム、ポリエチレンシート等のシート材料を使用し、面密度が５００〜９０００ｇ／ｍ２のシート材料を補助減衰層２４として一体化する。
【００５１】
また、中・高周波数域の騒音については、膜吸音性能を備えたシート材料、例えば、発泡シート、樹脂フィルム、ウレタンシートが使用でき、その面密度は３０〜５００ｇ／ｍ２の範囲が良い。更に、低通気性を備えたシート材料、例えば、不織布、スパンボンド、ウレタンシートも使用でき、その場合、３０〜３００ｇ／ｍ２の面密度で、かつ通気量が５〜３０ｃｍ３／ｃｍ２・ｓｅｃのものを使用できる。
【００５２】
従って、緻密多孔質吸音体２１の表面の一部に補助減衰層２４を上載せ設置することで、ダッシュパネル１０から透過する騒音の周波数レベルに有効に対応できるチューニングをより精度良く行なうことができる。
【実施例２】
【００５３】
次いで、図７乃至図１１は、本発明に係る車両の防音構造の第２実施例を示すもので、第１実施例同様、防音材としてダッシュパネル１０に取り付けられるインシュレータダッシュ２０に適用した。
【００５４】
図７はダッシュパネル１０に取り付けられるインシュレータダッシュ２０の構成を示す断面図、図８乃至図１１は同インシュレータダッシュ２０の変形例を示す各断面図である。
【００５５】
この第２実施例においては、インシュレータダッシュ２０は、ダッシュパネル１０の室内面形状にほぼ合致して成形された緻密多孔質吸音体２１の裏面の全面、あるいはその一部に補助減衰層４０を積層一体化して構成され、更に、インシュレータダッシュ２０は、ダッシュパネル１０に対して空気層３０を介して取り付けられていることが特徴である。
【００５６】
図７は、緻密多孔質吸音体２１の裏面の全面に補助減衰層４０が一体化された構成であり、緻密多孔質吸音体２１の構成は、第１実施例と同一構成であるため、ここでは省略する。そして、この緻密多孔質吸音体２１の裏面の全面に積層一体化される補助減衰層４０は、ダッシュパネル１０を透過する騒音を遮音、あるいは吸音することで、緻密多孔質吸音体２１の防音特性を補完させる機能をもつ。
【００５７】
この補助減衰層４０の素材としては、ダッシュパネル１０を透過する騒音のうち、特に、ターゲットとなる騒音の周波数レベルに応じて、適宜バリエーションをもたせて使用することができる。例えば、低・中周波数域の騒音のものに対しては、ＰＶＣ樹脂、ゴム、ポリエチレン樹脂等の重量化シートで、面密度が５００〜９０００ｇ／ｍ２のものを使用する。
【００５８】
また、中・高周波数域の騒音を対象としては、不織布、スパンボンド、ウレタン等、面密度が３０〜３００ｇ／ｍ２で通気量が５〜３０ｃｍ３／ｃｍ２・ｓｅｃのものを使用できる。更に、非通気シートとして、例えば、発泡シート、樹脂フィルム、ウレタン等、面密度が３０〜５００ｇ／ｍ２のものを使用することができる。
【００５９】
そして、緻密多孔質吸音体２１の裏面全面に補助減衰層４０を一体化する手順については、補助減衰層４０の素材が通気性を備えているか、通気性を備えていないかによって異なる。
【００６０】
例えば、不織布等、通気性を備えている素材を使用する場合には、緻密多孔質吸音体２１の素材である原反マットと補助減衰層４０の素材とを重ね合わせて熱風加熱炉で共に加熱軟化させ、コールドプレス成形金型内に投入してプレス一体化することで両者を積層一体化できる。
【００６１】
また、補助減衰層４０が非通気性素材であれば、赤外加熱炉等で補助減衰層４０の素材を緻密多孔質吸音体２１の素材とは別個に加熱軟化処理した後、両者を重ね合わせてコールドプレス成形金型内に投入し、プレス一体化すれば良い。
【００６２】
従って、図７に示すインシュレータダッシュ２０を使用した車両の防音構造によれば、緻密多孔質吸音体２１と補助減衰層４０とのトータル重量が製品重量となるが、従来の遮音層を使用した構造のものに比べ、軽量化が図れ、燃費効率の向上、ダッシュパネル１０への取付作業性の向上等、第１実施例と同様の作用効果を備えている。
【００６３】
更に、緻密多孔質吸音体２１のもつ遮音機能と車室内側からの騒音を再度取り込む吸音機能が期待できる他に、更に、ダッシュパネル１０を透過してくる透過騒音（図７中符号Ａで示す）の特性に応じて補助減衰層４０により、防音処理する機能を加えたため、防音特性をより高めることができるという効果がある。尚、車室内Ｒからの反射騒音（図７中符号Ｂで示す）に対しては、第１実施例同様、緻密多孔質吸音体２１の表面側から内部に取り込むことで、車室Ｒ内の音圧上昇を防止できる。
【００６４】
図８は、第２実施例の変形例を示すもので、図示するように、特に、ダッシュパネル１０のトウボード部１０ｃに対応する部位にのみ緻密多孔質吸音体２１の裏面に補助減衰層４０が一体化されている。
【００６５】
この図８に示すインシュレータダッシュ２０においては、要求される機能に応じた補助減衰層４０を緻密多孔質吸音体２１の裏面の一部に一体化するという構成であり、ダッシュパネル１０を透過する騒音の周波数レベルに応じて、過剰品質となることなく、適切な防音対策を施せることになる。
【００６６】
また、図示はしないが、緻密多孔質吸音体２１の裏面に部位毎に異なる機能をもつ補助減衰層４０を個別に設定しても良い。例えば、ダッシュパネル１０のダッシュロア部１０ｂからは、特に低・中周波数域の透過騒音が多いことから、この部位に重量化した遮音機能をもつ補助減衰層４０を一体化する一方、ダッシュパネル１０におけるトウボード部１０ｃのように、比較的低・中周波数域の騒音が少ない部分には、防音性能を高めるために、発泡シートや不織布等の中・高周波数域の騒音を吸音できる補助減衰層４０を設けるようにする。このように、ダッシュパネル１０を透過する騒音の周波数レベルに応じた補助減衰層４０を適切に配置することも有効である。
【００６７】
図９乃至図１１は、第２実施例の変形例を示すもので、緻密多孔質吸音体２１の密度、厚み及び空気層３０の厚みを調整することで、ダッシュパネル１０を透過する騒音の周波数レベルに応じた防音対策を施すことができる。図９に示すように、ダッシュパネル１０におけるトウボード部１０ｃに対応する部分の空気層３０を省略し、この部位の緻密多孔質吸音体２１の厚みを厚く、密度を小さく設定することで吸音特性を高めても良く、図１０に示すように、図７と図９の中間に位置する具体例として、空気層３０の厚みを小さくとり、かつ緻密多孔質吸音体２１の厚み、密度を図７及び図９に示す緻密多孔質吸音体２１の各数値の中間値に設定することで、ダッシュパネル１０のトウボード部１０ｃに対応する緻密多孔質吸音体２１の機能として、遮音機能と吸音機能の両者を併用させても良い。
【００６８】
更に、図１１に示すように、インシュレータダッシュ２０の構成として、ダッシュパネル１０の室内面形状に則した形状に成形された緻密多孔質吸音体２１の裏面の全面、あるいは一部に補助減衰層４０を一体化するとともに、緻密多孔質吸音体２１の表面の一部に補助減衰層２４を一体化するという三層構造を採用することで、ダッシュパネル１０を透過する透過騒音や車室Ｒ内からの反射騒音等の音特性に対するチューニングをより精度良く行なうようにしても良い。
【産業上の利用可能性】
【００６９】
以上説明した第１実施例、第２実施例は、防音材としてインシュレータダッシュ２０に適用し、その素材としては、フエルト、熱可塑性樹脂繊維バインダを使用したものであるが、多孔質素材であれば、繊維質成形体の他に発泡成形体、発泡体、ゴム等を使用することもできる。
【００７０】
また、インシュレータダッシュ２０の他に、エンジンルーム、ラゲージルーム等の車体パネルの室内面側に取り付けられる防音材全般に適用することができる。
【図面の簡単な説明】
【００７１】
【図１】本発明に係る車両の防音構造の第１実施例を示すもので、ダッシュパネルに取り付けたインシュレータダッシュを示す断面図である。
【図２】図１に示すインシュレータダッシュの正面図である。
【図３】図１に示すインシュレータダッシュをダッシュパネルに取り付けた取付部分を拡大して示す断面図である。
【図４】図１に示すインシュレータダッシュの変形例を示す断面図である。
【図５】図１に示すインシュレータダッシュの変形例を示す断面図である。
【図６】図１に示すインシュレータダッシュの変形例を示す断面図である。
【図７】本発明に係る車両の防音構造の第２実施例を示すもので、ダッシュパネルに取り付けたインシュレータダッシュを示す断面図である。
【図８】図７に示すインシュレータダッシュの変形例を示す断面図である。
【図９】図７に示すインシュレータダッシュの変形例を示す断面図である。
【図１０】図７に示すインシュレータダッシュの変形例を示す断面図である。
【図１１】本発明の第２実施例の変形例を示す断面図である。
【図１２】インシュレータダッシュの設置箇所を示す説明図である。
【図１３】従来のインシュレータダッシュの構成を示す断面図である。
【図１４】従来のインシュレータダッシュの防音メカニズムを示す説明図である。
【符号の説明】
【００７２】
１０  ダッシュパネル
１０ａ  ダッシュアッパー部
１０ｂ  ダッシュロア部
１０ｃ  トウボード部
２０  インシュレータダッシュ
２１  緻密多孔質吸音体
２２  凸部
２３  取付孔
２４  補助減衰層（表面層）
３０  空気層
４０  補助減衰層（裏面層）
Ａ  パネル透過騒音
Ｂ  反射騒音
Ｅ  エンジンルーム
Ｒ  車室
【図１】
2005112088.tif 000003
【図２】
2005112088.tif 000004
【図３】
2005112088.tif 000005
【図４】
2005112088.tif 000006
【図５】
2005112088.tif 000007
【図６】
2005112088.tif 000008
【図７】
2005112088.tif 000009
【図８】
2005112088.tif 000010
【図９】
2005112088.tif 000011
【図１０】
2005112088.tif 000012
【図１１】
2005112088.tif 000013
【図１２】
2005112088.tif 000014
【図１３】
2005112088.tif 000015
【図１４】
2005112088.tif 000016